(57)【要約】【課題】  使用材料或いは組み合わせ等に制約を受けることがなく、デザインバラエティーを広げることができるアナログ式時計を提供する。【解決手段】  時計ケース１０内にムーブメント１１と文字板１とを配置し、ムーブメント１１に固定された指針４Ａ〜４Ｃを文字板１の上に配置したアナログ式時計であって、文字板１と指針４Ａ〜４Ｃとの間に文字板１の文字、絵柄等を視認可能に加飾部材３を設けたものである。【選択図】      図２
2005106582.tif 000002
【特許請求の範囲】
【請求項１】
時計ケース内にムーブメントと文字板とを配置し、ムーブメントに取り付けられた指針を文字板の上に配置したアナログ式時計において、
前記文字板と前記指針との間に前記文字板の文字、絵柄等を視認可能に加飾部材を設けたことを特徴とするアナログ式時計。
【請求項２】
前記加飾部材を前記文字板との間に間隔をあけて設けたことを特徴とする請求項１記載のアナログ式時計。
【請求項３】
前記加飾部材を固定部材を介して前記文字板に固定したことを特徴とする請求項１又は２記載のアナログ式時計。
【請求項４】
前記加飾部材をガラス板で形成し、このガラス板に文字、絵柄等を印刷、ブラスト加工或いは蒸着等により形成したことを特徴とする請求項１乃至３のいずれか一項記載のアナログ式時計。
【請求項５】
前記加飾部材を樹脂板で形成し、この樹脂板に文字、絵柄等を印刷或いは蒸着等により形成したことを特徴とする請求項１乃至３のいずれか一項記載のアナログ式時計。
【発明の詳細な説明】
【技術分野】
【０００１】
本発明は、文字板と指針とを備えたアナログ式時計に関する。
【背景技術】
【０００２】
一般に、置き時計、腕時計、懐中時計、ストップウォッチ等の各種時計においては、時計ケースに内蔵されたムーブメントの表面側に文字板が配置され、この文字板上に時刻等を表示する文字や図形、その他の模様等が表されている。文字板には中央孔が形成され、この中央孔を貫通する指針部が設けられ、この指針部に取り付けられた各指針によって時刻や時間を表示する表示部が構成されている。上記各種時計の文字板は、一般に１枚の金属等からなる板状体からなり、時計ケースやムーブメント（例えば、地板等）に対して固定されている。文字板には、複数枚の板状体を重ねた多層文字板もあり、この多層文字板では、例えば、表面側の板状体に開口部を設けて、この開口部から裏面側の板状体に表された文字や模様等が視認できるように構成されている。この多層文字板では、立体的かつ複雑な文字板デザインを形成することができ、さらに文字板デザインを複雑化するため、文字板にリングを植えたものが提案されている（例えば特許文献１）。
【特許文献１】実開平５−９２７７７号公報
【発明の開示】
【発明が解決しようとする課題】
【０００３】
しかし、従来の構成では、板状体の組み合わせ或いはリング等により立体的かつ複雑な文字板デザインを形成するため、使用材料或いは組み合わせ等に制約を受け、デザインバラエティーに限界を生じるという問題がある。
そこで、本発明の目的は、上述した従来の技術が有する課題を解消し、使用材料或いは組み合わせ等に制約を受けることがなく、デザインバラエティーを広げることができるアナログ式時計を提供することにある。
【課題を解決するための手段】
【０００４】
上記課題を解決するために、本発明は、時計ケース内にムーブメントと文字板とを配置し、ムーブメントに取り付けられた指針を文字板の上に配置したアナログ式時計において、前記文字板と前記指針との間に前記文字板の文字、絵柄等を視認可能に加飾部材を設けたことを特徴とする。
この手段では、加飾部材が奥行き方向の立体感を増す。特に、文字板と指針との間に加飾部材を設けたため、その間の空間的な広がりが得られると共に、デザインに深みが生まれ、今まで表現できなかった表示部の実現が可能になり、デザインバラエティーを広げることができる。
【０００５】
また、加飾部材を文字板との間に間隔をあけて設けてもよい。この間隔をあけることにより、さらにデザインに深みが生まれ、今まで表現できなかった表示部の実現が可能になり、デザインバラエティーを広げることができる。
さらに、加飾部材を固定部材を介して文字板に固定してもよい。
前記加飾部材をガラス板で形成し、このガラス板に文字、絵柄等を印刷、ブラスト加工或いは蒸着等により形成してもよい。
また、前記加飾部材を樹脂板で形成し、この樹脂板に文字、絵柄等を印刷或いは蒸着等により形成してもよい。
【発明の効果】
【０００６】
本発明では、文字板と指針との間に加飾部材を設けたため、その間の空間的な広がりが得られると共に、デザインに深みが生まれ、今まで表現できなかった表示部の実現が可能になり、デザインバラエティーを広げることができる。
【発明を実施するための最良の形態】
【０００７】
以下、本発明によるアナログ式時計の一実施形態を添付図面を参照して説明する。
図１は、本実施形態による腕時計の時計ケースを示す平面図、図２は、同じく断面図、図３は、同じく分解斜視図である。図１に示す時計バンド２０は、図２及び図３では図示を省略している。符号１０は時計ケースを示し、この時計ケース１０は、裏蓋１０Ａを備え、内部にムーブメント１１を内蔵する。
ムーブメント１１は中枠１２によって時計ケース１０に固定され、このムーブメント１１の上方には、金属板からなる文字板１が設置されている。
この文字板１の裏面には、図３に示すように、一対のピン７が突出し、このピン７をムーブメント１１に形成された孔（図示せず）に嵌め込むことにより、この文字板１がムーブメント１１に固定されている。
【０００８】
この文字板１の外周部には、図２に示すように、金属製（或いは樹脂製）の固定リング（固定部材）２が宛われ、この固定リング２は、文字板１と時計ケース１０の環状段部１０Ａとの間に挟持されて固定されている。
そして、この固定リング２が、文字板１に対して相対回転移動するのを防止するため、図３に示すように、文字板１には突起１Ａが形成され、固定リング２には、上記突起１Ａに対応した位置に、当該突起１Ａが嵌り合う凹所２Ｄが形成され、この凹所２Ｄに突起１Ａを嵌合して固定されている。
【０００９】
この固定リング２の内周部には、周方向に延びる環状突起部２Ａが一体的に形成され、この環状の突起部２Ａを境界として、一方の段部２Ｂには、文字板１の外周部の表面周縁部が嵌められ、他方の段部２Ｃには、文字板１の文字、絵柄等を視認可能に加飾部材３が嵌められ、この加飾部材３は、他方の段部２Ｃに接着剤（或いは両面テープ等）によって固定されている。上記構成では、固定部材としての固定リング２が、周方向に連続したリング状を構成しているが、これに限定されず、ピース状の固定部材として、これらを周方向に間隔をあけて配置してもよい。ただし、文字板１と加飾部材３との間に塵埃等が入り込まないようにするためには、周方向に連続したリング状を構成する、本構成の固定リング２を採用することが望ましい。
【００１０】
ムーブメント１１は、筒車１４、二番車１５及び四番車１６を備え、各車は、文字板１及び加飾部材３のそれぞれの中央孔１Ｂ，３Ａを貫通し、当該加飾部材３の上方に延出し、筒車１４には時針４Ａが取り付けられ、二番車１５には分針４Ｂが取り付けられ、四番車１６には秒針４Ｃが取り付けられている。
そして、時針４Ａ、分針４Ｂ並びに秒針４Ｃの上方には、カバーガラス１７が配置され、このカバーガラス１７は、時計ケース１０の上部の環状段部１０Ｂに接着等によって取り付けられている。
【００１１】
時計ケース１０には、リュウズ１３が取り付けられ、このリュウズ１３によって、時針４Ａ、分針４Ｂ並びに秒針４Ｃが操作されるとともに、図示を省略したカレンダー（年、月、日、曜日等）機構等が操作される。
時計ケース１０と裏板１０Ａとの間には、必要に応じて、密閉性や防水性を向上させるための、パッキン、シール材等を配置することが望ましい。ここに、グリース、オイル、樹脂等を充填させた場合には、密閉性や防水性を更に向上させることができ、パッキンやシール材が空気に触れないように構成できるので、これらパッキンやシール材の耐久性を向上させることができる。
【００１２】
本実施形態では、文字板１と指針４Ａ〜４Ｃとの間に、文字板１の文字、絵柄等を視認可能に加飾部材３が取り付けられている。
この加飾部材３は、文字板１との間に間隔δをあけて設けられ、これによって、その間の奥行き方向への空間的な広がりが得られると共に、文字板１と指針４Ａ〜４Ｃ間のデザインに深みが生まれ、今まで表現できなかった表示部の実現が可能になり、デザインバラエティーが広げられる。
【００１３】
加飾部材３は、文字板１の文字、絵柄等を視認可能であればよく、例えば、透明体からなるガラス板で形成され、このガラス板に文字、絵柄等を印刷したり、又はブラスト加工により凹凸文字、模様等を形成したり、或いは文字、絵柄等を蒸着等により形成したものであってもよい。
また、加飾部材３が、例えば樹脂板で形成され、この樹脂板に文字、絵柄等を印刷或いは蒸着等により形成したものであってもよい。さらには、立体模様（レリーフ）を施したプレートであってもよい。
【００１４】
上記構成では、図１を参照して、想像線で示す葉の絵柄３０等が、上記文字板１に描かれており、Ａ〜Ｎの文字４０が、上記加飾部材３に描かれており、カバーガラス１７は、透明体で素通しである。
この構成では、文字板１との間に間隔δをあけて加飾部材３を設けたこととの相乗効果によって、その間の更なる空間的な広がりが得られると共に、文字板１と指針４Ａ〜４Ｃ間のデザインに深みが生まれ、今まで表現できなかった表示部の実現が可能になり、デザインバラエティーが広げられる。
【００１５】
つぎに、図３を参照して、本構成による時計の組み付け手順を説明する。
まず、ムーブメント１１の上面に文字板１を配置し、この文字板１の上に、好みの加飾部材３を接着固定した固定リング２を配置する。ここで、文字板１の裏面のピン７が、ムーブメント１１に形成された孔（図示せず）に嵌め込まれ、当該文字板１はムーブメント１１に固定されている。この場合、文字板１に対し固定リング２が相対回転移動しないように、固定リング２の凹所２Ｄに文字板１の突起１Ａを嵌合する。
ついで、図２に示すように、ムーブメント１１の筒車１４、二番車１５及び四番車１６を、文字板１及び加飾部材３のそれぞれの中央孔１Ｂ，３Ａを貫通し、当該加飾部材３の上方に延出し、筒車１４に時針４Ａを取り付け、二番車１５に分針４Ｂを取り付け、四番車１６に秒針４Ｃを取り付ける。
【００１６】
これらのセット品を、時計ケース１０の裏側から嵌め込み、この時計ケース１０の裏側開口部に中枠１２、及び裏蓋１０Ａを取り付ける。
この状態において、図２に示すように、固定リング２は、文字板１と時計ケース１０の環状段部１０Ａとの間に挟持される。
【００１７】
本実施形態では、固定リング２を、文字板１と時計ケース１０の段部１０Ａとの間に挟持して固定し、その回り止めに、文字板１の突起１Ａを、固定リング２の凹所２Ａに嵌合しているだけであるため、時計ケース１０から裏蓋１０Ａを取り外せば、時計ケース１０の裏側から、加飾部材３と共に、固定リング２を簡単に取り出すことができる。従って、これを取り出した後に、好みの加飾部材３に交換することにより、いろいろな表情の表示部デザインを創出することができる。
【００１８】
上記構成では、文字板１が、一枚の金属等からなる板状体で構成されているが、これに限定されず、例えば、複数枚の板状体を重ねた積層文字板であってもよい。この積層された文字板では、例えば上板と下板とを接着剤により固定して構成され、下板にデザインを施し、このデザインを視認できるように、上板に開口部を形成し、さらにはこの上板にもデザインを施す等すれば、間隔δをあけて加飾部材３を設けたための上記の効果、或いは加飾部材３自体の効果等に加えた、奥行き方向への空間的な広がりが得られるとした更なる相乗効果を得ることができる。
また、文字板を多層に形成することによって、立体的なデザインを形成することができるとともに、１枚の文字板上に形成することの困難な複雑なデザインも容易に構成することができる。多層文字板とすることによって、表面側から見えない裏面板を純鉄等の磁性体によって形成すれば、特に時計ケース１０の表面側から磁界を受けた場合の耐磁性を向上させることができる。
【００１９】
以上、一実施形態に基づいて、本発明を説明したが、本発明は、これに限定されるものではない。上記実施形態では、本発明を腕時計に適用した例を示したが、本発明は腕時計に限らず、置き時計、腕時計、懐中時計、ストップウォッチ等の各種時計に対して同様に適用することができる。
また、上記実施形態では、機械式のアナログ時計について説明したが、デジタル式のアナログ時計に対しても適用が可能である。この場合、例えば、文字板に相当する表示部と、指針に相当する表示部とを重ねて配置し、これらの間に、文字板に相当する表示部を視認可能に加飾部材を配置すればよい。
【図面の簡単な説明】
【００２０】
【図１】本発明の一実施形態を示す平面図である。
【図２】同じく断面図である。
【図３】同じく分解斜視図である。
【符号の説明】
【００２１】
１…文字板、１Ａ…突起、２…固定リング、２Ｄ…凹所、３…加飾部材、４Ａ…時針、４Ｂ…分針、４Ｃ…秒針、１０…時計ケース、１０Ａ…裏蓋、１１…ムーブメント、１２…中枠。
【図１】
2005106582.tif 000003
【図２】
2005106582.tif 000004
【図３】
2005106582.tif 000005